(57)【要約】【課題】小型かつ軽量な除湿機において、除湿を容易に実感したり、評価したりでき、しかも、除湿の進行に伴う除湿水の管理や取り扱いが容易なものとする。【解決手段】吸湿材１、室内空気２を吸湿材１に通して室内に戻し除湿を行なう除湿ファン３、再生用空気４を加熱して吸湿材１に通し再生させる再生ヒータ５および再生ファン６、吸湿材１に通され再生ヒータ５側に戻される途中の再生用空気４との熱交換器７、熱交換器７で再生用空気４から分離した除湿水の水受け８、水受け８の除湿水を着脱できる貯水タンク９に送り込む貯水ポンプ１１とを、本体１２に備え、貯水タンク９を本体１２の上部の前面側に設けることにより、上記目的を達成する。【選択図】  図２
2004181279.tif 000002
【特許請求の範囲】
【請求項１】
繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して除湿水を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側に設けたことを特徴とする除湿機。
【請求項２】
繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して除湿水を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側に、底部左右方向の中央が上方に窪んだ窪み部を有して設けたことを特徴とする除湿機。
【請求項３】
繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して水分を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側の切り欠き段部に設け、貯水タンクは本体における段部の内部機器が内側に位置した左右方向の中央の上向き凸部に嵌まり込む上向きの窪み部を底部に有したことを特徴とする除湿機。
【請求項４】
窪み部は貯水タンクの底部の後ろ側に設けてある請求項２、３のいずれか１項に記載の除湿機。
【請求項５】
本体の貯水タンクの下に前面側から順に、熱交換器、回転する吸湿材が位置し、吸湿材の後ろの上下に再生ヒータおよび再生ファンが位置して、空気が再生ファンから、再生ヒータ、吸湿材、熱交換器に順次至って後、再生ファンに戻る再生循環系をなし、これら再生ヒータおよび再生ファンの後ろに除湿ファンがその吸気口を吸湿材を介して本体の前面の吸気口に向け開口し、送風口を本体上部の排気口に繋がるようにして位置し、水受けは熱交換器の下部に位置して熱交換器からの水を受け、貯水ポンプは水受けから貯水タンクに至る揚水路の基部に設けられている請求項１〜４のいずれか１項に記載の除湿機。
【請求項６】
貯水タンクの底部は前傾している請求項１〜５のいずれか１項に記載の除湿機。
【請求項７】
貯水タンクは本体の位置決め部に上方から嵌まり合っている請求項１〜６のいずれか１項に記載の除湿機。
【請求項８】
本体の側方から見て貯水タンクと対角線上の位置となるコーナ部の左右両側にキャスタを設けた請求項１〜７のいずれか１項に記載の除湿機。
【請求項９】
本体の背面に出し入れできる引き手を有している請求項８に記載の除湿機。
【請求項１０】
貯水タンクの上部に起伏できるように枢支した手提げハンドルを有し、手提げハンドルは後方に伏倒したとき、本体上面のストッパと係合し合って貯水タンク上部が本体上部から離れるのを防止する係合部を本体との間に有している請求項１〜９のいずれか１項に記載の除湿機。
【発明の詳細な説明】
【０００１】
【発明の属する技術分野】
本発明は小さく、重量も軽い、繰り返し移動する吸湿材を備えた軽量かつコンパクトな除湿機に関し、詳しくは、ファンにより室内空気を吸湿材に通して室内に戻し室内を除湿しながら、加熱した空気を吸湿部に通して吸湿材の水分を奪って再生を図りながら、吸湿材から水分を奪った吸湿空気から熱交換器により水を分離して回収し貯水するようにした除湿機に関するものである。
【０００２】
【従来の技術】
この種の除湿機は、繰り返し移動する吸湿材と、室内空気を前記吸湿材に通した後に室内に戻して室内の除湿を行なう除湿ファンと、空気を加熱して前記吸湿材に通して水分を奪い再生させることを繰り返す再生ヒータおよび再生ファンと、前記吸湿材に通され水分を奪い再生ヒータ側に戻される途中の吸湿空気と熱交換して水分を分離する熱交換器と、熱交換器によって分離した水を受ける水受けと、水受けの水を着脱できる貯水タンクに送り込んで貯水する貯水ポンプとを、本体に備えたものが知られている（例えば、特許文献１参照。）。
【０００３】
このようなものでは、水受け、貯水ポンプ、貯水タンクの組合せから、熱交換器にて吸湿空気から分離される水を、熱交換器の近傍に小さく邪魔なく位置する水受けによって伝い落ちや自然流下を利用して集水しながら、貯水ポンプにより貯水タンクへ送り込むようにして、貯水タンクが設置しやすさや取り扱いやすさなどによって設置位置を自由に選択されても対応でき、設計自由度が高い。
【０００４】
一方、圧縮機、蒸発器、凝縮器を備え、本体内に室内の空気を導入して蒸発器により冷却減湿させた後、凝縮器にて元の温度近くに加熱してから室内に戻すようにした比較的大型かつ重量化した除湿機において、圧縮機に併設した水タンクに蒸発器にて除湿した除湿水を貯水しながら、水タンク内の貯水を注水ポンプにより本体上に置いた植木鉢に送水するようにしたものが知られている（たとえば、特許文献２参照。）。このものによれば、収納凹部に収納した植木鉢に除湿水を自動的に注水して人手による水やりに代えることができる。
【０００５】
【発明が解決しようとする課題】
ところで、除湿には除湿水の生成が伴う。しかし、上記したものを含む従来の除湿機はその除湿方式の如何にかかわりなく、ユーザーにとって除湿の実効を実感しにくく、性能を評価できない構造になっていることから、使用しながらも機能に不信や不安を抱いたり、使用をためらう原因になっている。
【０００６】
特許文献１に記載のものの水受けは、本体内の前部側に位置した凝縮器の下に置かれていて、ここに伝い落ち、また流下し、集水される除湿水を外観することはできない。また、貯水タンクは本体内のどの位置にも置けるものでありながら、最後部に配置されているので、ここへの除湿水の送り込みや貯水状態も外観できない。また、貯水タンクが満杯になったようなときに、本体ごと排水位置へいちいち持ち運んでドレンパイプを開き排水したり、本体の後部内スペースから貯水タンクを一旦取り出してから排水位置まで持ち運び排水したりする必要があるので、日常的に手間の掛かるものとなる。
【０００７】
特許文献２に記載の水タンクは、本体の下方前部に位置する圧縮機の後部に配置されていて、そこへの除湿水の流れ込みや貯水状態は外観できない。また水タンクでの貯水は注水ポンプによって本体外に送水されるものの、植木鉢などに注水して消費されるようにするので、除湿水量はもとより除湿水が注水されたのかどうかに気付きにくいし、判別しにくい。除湿水はこのように消費されるので満杯になる都度排水したりする必要はないが、過不足が生じることに対する対策が必要で、これを常に気にしながら判断し、不足のときは人が植木鉢に水をやらなければならないし、貯水が過剰なときは水タンク内の貯水を既述したようなドレン構造を利用した排水処理が必要になるので、却って不便なものとなりかねない。
【０００８】
【特許文献１】
特開平１１−３００１４５号公報（０００５、００１９〜００２４  図２）
【０００９】
【特許文献２】
実開昭５８−０６９７１６号公報（第２頁第２行〜第１７行、第３頁第１７行〜第４頁第５行  図）
本発明の目的は、繰り返し移動する除湿材にて室内空気を除湿しながら、除湿材につき加熱空気によって水分を奪い再生することを繰り返し、水分を奪った吸湿空気から除湿水を分離回収するようにした小型かつ軽量な除湿機において、除湿を容易に実感したり、評価したりでき、しかも、除湿の進行に伴う除湿水の管理や取り扱いが容易な除湿機を提供することにある。
【００１０】
【課題を解決するための手段】
上記のような目的を達成するために、本発明の除湿機は、繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して除湿水を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側に設けたことを１つの特徴としている。
【００１１】
このような構成では、本体側に備えた、除湿材、除湿ファン、再生ヒータ、再生ファン、熱交換器の組み合わせにより、室内空気を除湿材にて除湿することを繰り返しながら、室内空気から吸湿して除湿を繰り返す除湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００１２】
特に、貯水タンクは本体の上部の前面側にあって、前記のように水受けに集められる除湿水の送り込みを受けて貯水し、これが外観されるようにするので、ユーザーによって除湿が実感され、評価されやすくする。同時に、貯水タンクに関し排水したり、洗浄などの手入れをしたりするのに、本体外のしかもユーザーの最も近くで、かつ着脱しやすい側に貯水タンクが位置しているので、貯水タンクを単独に容易に取り扱って対応することができる。
【００１３】
本発明の除湿機は、また、繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して除湿水を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側に、底部左右方向の中央が上方に窪んだ窪み部を有して設けたことを別の特徴としている。
【００１４】
このような構成では、本体側に備えた、除湿材、除湿ファン、再生ヒータ、再生ファン、熱交換器の組み合わせにより、室内空気を除湿材にて除湿することを繰り返しながら、室内空気から吸湿して除湿を繰り返す除湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００１５】
特に、貯水タンクは本体の上部の前面側にあって、前記のように水受けに集められる除湿水の送り込みを受けて貯水し、これが外観されるようにするので、ユーザーによって除湿が実感され、評価されやすくする。同時に、貯水タンクに関し排水したり、洗浄などの手入れをしたりするのに、本体外のしかもユーザーの最も近くで、かつ着脱しやすい側に貯水タンクが位置しているので、貯水タンクを単独に容易に取り扱って対応することができる。
【００１６】
さらに、貯水タンクはその底部左右方向の中央が上方に窪んだ窪み部を有していて、前記送り込み初期の除湿水はこの窪み部の外まわりのそれよりも低位となっている部分に流れ落ちて貯水タンクの胴部壁寄りに集まって貯水されていくので、貯水タンクの平面スペースの大きさにかかわりなく貯水がその初期からユーザーによって外観されやすいし、初期貯水域が貯水タンクの平面スペースよりも小さくなる分だけ、貯水水位の上昇速度を速くして除湿の実効や進行度合いをユーザーによって実感しやすく、評価しやすくする。しかも、この貯水タンクの窪み部は本体側の機器の配置形状に対応させることによってデッドスペースを生じさせることなく実現するので、除湿器の大型化の原因にはならない。
【００１７】
本発明の除湿機は、また、繰り返し移動する吸湿材と、室内空気を前記吸湿材に通した後に室内に戻して室内の除湿を行なう除湿ファンと、空気を加熱して前記吸湿材に通して除湿水を奪い再生させることを繰り返す再生ヒータおよび再生ファンと、前記吸湿材に通され除湿水を奪い再生ヒータ側に戻される途中の吸湿空気と熱交換して水分を分離する熱交換器と、熱交換器によって分離した除湿水を受ける水受けと、水受けの除湿水を着脱できる貯水タンクに送り込んで貯水する貯水ポンプとを、本体に備え、前記貯水タンクは前記本体の上部の前面側の切り欠き段部に設け、貯水タンクは本体における段部の内部機器が内側に位置した左右方向の中央の上向き凸部に嵌まり込む上向きの窪み部を底部に有したことを他の特徴としている。
【００１８】
このような構成では、本体側に備えた、除湿材、除湿ファン、再生ヒータ、再生ファン、熱交換器の組み合わせにより、室内空気を除湿材にて除湿することを繰り返しながら、室内空気から吸湿して除湿を繰り返す除湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００１９】
特に、貯水タンクは本体の上部の前面側に形成した切り欠き段部にあって、本体とほぼ面一な状態で飛び出したりせず、前記のように水受けに集められる除湿水の送り込みを受けて貯水していっても、全体の重量バランスを特に崩すことはなく安定なまま使用されるようにしながら、前記貯水が外観されるようにするので、ユーザーによって除湿が実感され、評価されやすくする。同時に、貯水タンクに関し排水したり、洗浄などの手入れをしたりするのに、本体外のしかもユーザーの最も近くで、かつ着脱しやすい側に貯水タンクが位置しているので、貯水タンクを単独に容易に取り扱って対応することができる。
【００２０】
さらに、貯水タンクはその底部左右方向の中央が上方に窪んだ窪み部を有していて、前記送り込み初期の除湿水はこの窪み部の外まわりのそれよりも低位となっている部分に流れ落ちて貯水タンクの胴部壁寄りに集まって貯水されていくので、貯水タンクの平面スペースの大きさにかかわりなく貯水がその初期からユーザーによって外観されやすいし、初期貯水域が貯水タンクの平面スペースよりも小さくなる分だけ、貯水水位の上昇速度を速くして除湿の実効や進行度合いをユーザーによって実感しやすく、評価しやすくする。しかも、この貯水タンクの窪み部は本体における段部の内部機器が内側に位置した左右方向の中央の上向き凸部に嵌まり込むので、本体における機器の配置形状に対応していてデッドスペースを生じさせることなく実現し、除湿器の大型化の原因にはならない。また、前記窪み部および上向き凸部相互の大きな嵌まり合いによって貯水タンクを本体に装着するのに貯水タンクを所定の装着位置に落ち着つかせるように案内したり、位置決めしたりすることができ、簡易に装着できるし、複雑な位置決め関係が要らないので構造が簡単で貯水タンクの取り外しも簡単になる。
【００２１】
窪み部が貯水タンクの底部の後ろ側に設けてある、さらなる構成では、
初期貯水が貯水タンクの前部側にも寄って行われるので、初期貯水とその進行がユーザーによってさらに見やすくなる。
【００２２】
本体の貯水タンクの下に前面側から順に、熱交換器、回転する吸湿材が位置し、吸湿材の後ろの上下に再生ヒータおよび再生ファンが位置して、空気が再生ファンから、再生ヒータ、吸湿材、熱交換器に順次至って後、再生ファンに戻る再生循環系をなし、これら再生ヒータおよび再生ファンの後ろに除湿ファンがその吸気口を吸湿材を介して本体の前面の吸気口に向け開口し、送風口を本体上部の排気口に繋がるようにして位置し、水受けは熱交換器の下部に位置して熱交換器からの水を受け、貯水ポンプは水受けから貯水タンクに至る揚水路の基部に設けられている、さらなる構成では、
吸湿材が回転して繰り返し前記室内空気の除湿とその後の再生を行うので、前記除湿と再生のための空気の通過方向に厚みが向く扁平なものでよくなり、その前部に位置する熱交換器とともに本体上部の前側に設けられる貯水タンクの平面スペースを利用した下側に位置して、前後方向および上下方向に無駄なスペースなく設置でき、これら上部の貯水タンク、その下部の熱交換器および吸湿材と、これらの後方に位置した再生ヒータおよび再生ファンとで、互いが無駄に分散するようなことなく再生循環系をこれを収納する本体部分とともにコンパクトに構成しながら、この再生循環系の後ろに本体の高さ一杯を利用した十分な大きさの除湿ファンを本体を特に大型化したりしないで設けて、十分な風量と、静かな低速吸気、および低速送風とを確保して、高い除湿機能を発揮することができる。しかも、再生ヒータは貯水タンク設置部から後方に外れて位置するので貯水タンク内の貯水を加熱して室内に発散させ却って加湿を行ってしまうような不都合を回避することができるし、再生ヒータの本体内上部は空きスペースにして本体上面に熱が伝わるのを抑えられるので、再生ヒータが本体の触れやすく目が行きやすい上部にも影響しにくく、使用の安全はもとより操作基板などの電気装備を持った操作面を設けて使用しやすいものとすることができる。
【００２３】
貯水タンクの底部は前傾している、さらなる構成では、初期貯水が貯水タンクの最も見やすい前側から開始するので、初期貯水およびその進行がより一層ユーザーによって確認されやすくすることができる。
【００２４】
貯水タンクが本体の位置決め部に上方から嵌まり合っている、さらなる構成では、
貯水タンクを本体に対して上方から着脱できるようにしながら、装着した貯水タンクを位置決めして位置ずれしたり脱落したりするのを防止することができる。
【００２５】
本体の側方から見て貯水タンクと対角線上の位置となるコーナ部の左右両側にキャスタを設けた、さらなる構成では、
本体を左右一対のキャスタにて接地して引き回すのに、前記対角線が鉛直となる側に本体を後ろ側に倒すと、本体の貯水タンクを含む重心をキャスタ上に位置させられるし、貯水タンクでの貯水量の違いでその時々で前記重心位置が異なっても、本体の後ろ側への倒し角度を調節することによって重量を前後にバランスさせて難なく移動させられ、同一の居室内は勿論、居室間、居室と風呂場など場所を移して使用するような場合に便利である。
【００２６】
本体の背面に出し入れできる引き手を有している、さらなる構成では、
本体を前記のように後ろ側に倒して引き回すときの、本体の支え、角度調節、引き回しのそれぞれに共用して、容易かつ自在に移動できる。
【００２７】
貯水タンクの上部に起伏できるように枢支した手提げハンドルを有し、手提げハンドルは後方に伏倒したとき、本体上面のストッパと係合し合って貯水タンク上部が本体上部から離れるのを防止する係合部を本体との間に有している、さらなる構成では、
手提げハンドルを貯水タンク上で起こしてそれを把持することにより、貯水タンクを容易に持ち上げ、また持ち運ぶことができ、貯水を排水したりするときの持ち運びや排水時に傾けたりする取り扱いに便利である。また、貯水タンクを本体に装着したとき、手提げハンドルを伏倒させると、手提げハンドルと本体側との係合部が係合して、貯水タンクが本体から離れるのを防止する状態になるので、貯水タンクを本体に装着する動作に連動した簡単な付帯操作によって貯水タンクが本体から不用意に脱落するようなことを防止することができる。
【００２８】
本発明のそれ以上の目的および特徴は、以下の詳細な説明および図面の記載によって明らかになる。本発明の各特徴はそれ単独で、あるいは可能な限り種々な組合せで複合して採用することができる。
【００２９】
【実施例】
以下、本発明に係る除湿機および動作方法につき、図１〜図１０を参照しながら詳細に説明し、本発明の理解に供する。以下の説明は、本発明の具体例を示すものであり、特許請求の範囲の記載内容を限定するものではない。
【００３０】
本実施例の除湿機は、本実施例における図１の模式図、図２、図３の全体構成図に示すように、繰り返し移動する吸湿材１と、室内空気２を前記吸湿材１に通した後に室内に戻して室内の除湿を行なう除湿ファン３と、再生用の空気４を加熱して前記吸湿材１に通し除湿水を奪い再生させることを繰り返す再生ヒータ５および再生ファン６と、前記吸湿材１に通され除湿水を奪い再生ヒータ５側に戻される途中の吸湿した再生用の空気４と熱交換して除湿水を分離する熱交換器７と、熱交換器７によって分離した除湿水を受ける水受け８と、水受け８の除湿水を着脱できる貯水タンク９に送り込んで貯水する貯水ポンプ１１とを、本体１２に、例えば内部機器１６などとして備え、貯水タンク９は本体１２に着脱できるように装着される。
【００３１】
これにより、本体１２側に備えた、除湿材１、除湿ファン３、再生ヒータ５、再生ファン６、熱交換器７の組み合わせにより、室内空気２を除湿材１にて除湿することを繰り返しながら、室内空気２から吸湿して除湿を繰り返す除湿材１につき加熱した再生用空気４を通すことによって除湿水を奪い再生を図って前記室内空気２に対する吸湿機能を保証しつつ、吸湿材１から除湿水を奪って吸湿した再生用空気４から熱交換器７との熱交換によって除湿水を分離することを継続して、特許文献２に記載されたような圧縮機を用いるタイプのものよりも小型かつ軽量なものにて除湿機能を満足することができる。また、吸湿材１を再生した後の吸湿した再生用空気４から分離した除湿水は、同じく本体１２側に備えた水受け８で受けることにより広域に拡がらせないで貯水ポンプ１１による貯水タンク９への送り込みと貯水に供して、本体１２の必要スペースを最小限に抑えて満杯回避により長時間の除湿を可能としながら、分離した除湿水が蒸発、逸散して室内を却って加湿してしまうような不都合を防止することができる。
【００３２】
特に、本実施例では、貯水タンク９は本体１２の上部の前面側に設けている。このようにすと、貯水タンク９は図１〜図３に示すように本体１２の上部の前面側にあることによって、前記のように水受け８に集められる除湿水の送り込みを受けて貯水し、これが本体１２のユーザに近い前部まわりから外観されるようにすることができる。つまり、室内空気２を除湿することによって除湿水が生じ、これが貯水タンク９に貯水されたことをユーザーが確認できることによって除湿が実感され、評価されやすくすることができる。しかも、本体１２に設ける貯水タンク９の形状および大きさを本体１２側の機器の配置による余剰スペースに対応させることにより、無駄なスペースができたり不自然な窪みや飛び出しをなくして貯水タンク９を設けることができる。同時に、貯水タンク９に関し排水したり、洗浄などの手入れをしたりするのに、本体１２外の、しかも前記ユーザーの最も近くで、かつ着脱しやすい側に貯水タンク９が位置しているので、貯水タンク９を単独に容易に取り扱って対応することができる。
【００３３】
もっとも、これには貯水タンク９が無色または有色の透明、半透明か、乳白色などの不透明でも内部の貯水やそのレベルの影が外面に反映して外部から確認できるか、あるいは、部分的にでもそのような貯水やそのレベルを確認できる貯水点検部があればよい。このような貯水タンク９やその部分は硝子や合成樹脂によって得られるが、軽量性、破損性の面にて合成樹脂製とするのが好適である。本体１２は前記のような多種多様な機器を装備するもので、耐久性上や耐熱性上からその全体または一部を金属製とすることができるが、これに限られることはなくその一部または全体を合成樹脂製とすることができる。また、合成樹脂製でも耐熱樹脂材料によって必要に応じ耐熱性は得られる。
【００３４】
また、本実施例において、前記貯水タンク９を本体１２の上部の前面側に設けるのに加え、さらに、底部左右方向の中央が上方に窪んだ図２に示すような窪み部１３を有したものとする。このようにすると、先の例の場合とは違い、貯水タンク９はその底部左右方向の中央が上方に窪んだ窪み部１３を有していることによって、貯水タンク９への送り込み初期の除湿水がこの窪み部１３の外まわりのそれよりも低位となっている部分１４ａに流れ落ち、貯水タンク９の胴部壁９ａ寄りに集まって貯水されていく。このため、貯水タンク９の平面スペースの大きさにかかわりなく貯水がその初期からユーザーによって外観されやすいし、初期貯水域が貯水タンク９の平面スペースよりも小さくなる分だけ、貯水水位の上昇速度を速くして除湿の実効や進行度合いをユーザーによって実感しやすく、評価しやすくする。しかも、この貯水タンク９の窪み部１３は本体１２側の機器の配置形状に対応させることによってデッドスペースを生じさせることなく実現するので、除湿器の大型化の原因にはならない。
【００３５】
また、本実施例では、貯水タンク９を本体１２の上部の前面側に、底部の図２に示す左右方向Ｘ−Ｘ′の中央に上向きの窪み部１３を有したものとして設けるのに、本体１２の上部の前面側に図１、図２に示したような切り欠き段部１５に設け、貯水タンク９は本体１２における段部１５の内部機器１６が内側に位置した左右方向Ｘ−Ｘ分の中央の上向き凸部１７に嵌まり込む上向きの窪み部１３を底部に有したものとしてある。このようにすると、貯水タンク９はその底部左右方向の中央が上方に窪んだ窪み部１３を有した先の例と同じように、初期貯水とその進行をユーザーが容易に確認できて、除湿の実効や進行度合いを実感しやすく、評価しやすくすることが、前記先の例とは違い貯水タンク９の窪み部１３が本体１２における段部１５の内部機器１６が内側に位置した左右方向Ｘ−Ｘ′の中央の上向き凸部１７に嵌まり込むものであることによって、本体１２における内部機器１６の配置形状に対応していてデッドスペースを生じさせることなく実現し、除湿器の大型化の原因にはならない。また、窪み部１３および上向き凸部１７相互の大きな嵌まり合い、つまり大きな窪み部１３が大きな上向き凸部１７に少なくとも左右方向Ｘ−Ｘ′に跨るように大きく嵌まり合うことによって、貯水タンク９を本体１２に装着するのに貯水タンク９を所定の装着位置に落ち着つかせるように前記嵌り合う少なくとも左右方向Ｘ−Ｘ′で案内したり、位置決めしたりすることができ、簡易に装着できるし、複雑な位置決め関係が要らないので構造が簡単で貯水タンク９の取り外しも簡単になる。
【００３６】
図示する例では窪み部１３が貯水タンク９の底部の図２に示す後ろＹ′側に設けてある。これにより、初期貯水が貯水タンク９の前Ｙ側の部分１４ａにも寄って行われるので、初期貯水とその進行が貯水タンク９の前Ｙ側からユーザーによってさらに見やすくなる。
【００３７】
図示する例では、図１、図２、図３に示すように、さらに、本体１２の貯水タンク９の下、つまり貯水タンク９を設ける設置部の下、図示する例では前記段部１５の下に、前Ｙ側から順に、熱交換器７、回転する吸湿材１が位置し、吸湿材１の後ろの上下に再生ヒータ５および再生ファン６が位置して、再生用の空気４が再生ファン６から、再生ヒータ５、吸湿材１、熱交換器７に順次至って後、再生ファン６に戻る再生循環系２１をなし、これら再生ヒータ５および再生ファン６の後ろに除湿ファン３がその吸気口３ａを吸湿材１を介して本体１２の前面の吸気口２２に向け開口し、送風口３ｂを本体１２上部の排気口２３に繋がるようにして位置し、水受け８は熱交換器７の下部に位置して熱交換器７からの分離された除湿水を受け、貯水ポンプ１１は水受け８から貯水タンク９に至る揚水路２５の基部に設けてある。図示する例では吸気口２２の内側に図１に示すようなフィルタ９３が設けられ、図３〜図５に示すように、ゼオライトなどの吸湿剤１ａを収容保持したケース１ｂにギヤ１ｃを設け、このギヤ１ｃにギヤドモータ７１に直結するなどしたピニオンギヤ７２を噛み合わせることによって所定の速度で回転駆動するようにしてある。
【００３８】
以上のような内部機器１６の配置により、吸湿材１が回転して繰り返し室内空気２の除湿とその後の再生を行うので、前記除湿と再生のための室内空気２の図１に示す通過方向に厚みが向く扁平なものでよくなり、その前部に位置する熱交換器７とともに本体１２上部の前側に設けられる貯水タンク９の平面スペースを利用した下側に位置して、前後Ｙ−Ｙ′方向および上下Ｚ−Ｚ′方向に無駄なスペースなく設置できる。また、これら上部の貯水タンク９、その下部の熱交換器７および吸湿材１と、これらの後方に位置した再生ヒータ５および再生ファン６とで、互いが無駄に分散するようなことなく前記再生循環系２１をこれを収納する本体１２部分とともに例えば図２、図３に示すようにコンパクトに構成しながら、この再生循環系２１の後ろに本体１２の高さ一杯を利用した図２、図５に示すような十分な大きさの除湿ファン３を本体１２を特に大型化したりしないで設けて、十分な風量と、静かで人に風を感じさせない程度の低速吸気、および低速送風とを確保して、高い除湿機能を発揮することができる。しかし、広域の除湿には吸気および送風のうち少なくとも一方は除湿の必要な範囲まで及ぶ条件を満足する必要がある。
【００３９】
ここで、除湿ファン３、再生ヒータ５を設置した加熱室７３およびその遮熱カバー７４は、図４、図５に示すように本体１２の左右Ｘ−Ｘ′方向での中心線Ｒよりも正面から見た一方、図示する例では右Ｘ′方向に偏心していて、これにより本体１２底部内の反対の側、図示する例では正面から見た左Ｘ方向にできるスペース７０に前記ギヤドモータ７１およびピニオンギヤ７２を設置してある。遮熱カバー７４はそれ自体の遮熱と、加熱室７３との間の空間とで再生ヒータ５の熱がまわりに影響するのを防止し、前記空きスペース２６を介した操作面２８部への熱影響も十分に防止できるようにする。
【００４０】
除湿ファン３は図３に示すように段部１５の背部壁１５ｂを上半部がなす仕切り壁７５と本体１２の背部壁７６とで形成したケーシング３ｃ内にファン３ｄを配置して構成し、仕切り壁７５に前記吸気口３ａと、ファン３ｄの駆動モータ３ｅの取り付け部７５ａとを形成している。また、吸湿材１の熱交換器７側には前記加熱室７３および遮熱カバー７４と一体に連結した仕切り壁７７を設けて、吸湿材１を軸８１によって回転できるように支持するとともにねじ８２によりねじ止めし、仕切り壁７７に吸湿材１の室内空気２を通す吸気開口７７ａと、吸湿材１の再生ヒータ５から通過してきた再生用空気４を受けて熱交換器７への送風ダクト７９に導く受け口７８とを形成し、前記ギヤドモータ７１をねじ７１ａによってねじ止めしている。図２に熱交換器７から再生ファン６を経て加熱室７３に至るダクト８３をパイプ風に示しているが、形態は特に問うものではない。
【００４１】
なお、図示する例では、揚水路２５は貯水タンク９内の上部に送水するようにしてあり、貯水タンク９内に自然流下させて貯水されるようにするので、貯水タンク９内の貯水の水圧に打ち勝って送水する必要がないので、その分だけ省エネルギーとなる。また、貯水タンク９の上部に送水するため揚水路２５は、図２に示すように送水口２５ａをフック上に折り曲げて下向きに開口したものとし、これを貯水タンク９の上部に引っかけて内部に臨ませるだけで貯水タンク９に送水でき、貯水タンク９を取り外すときは送水口２５ａを貯水タンク９への引っかけを外すだけで簡単に対応できる。もっとも、図示する例では貯水タンク９の入水口９ｂを送水口２５ａを上方から嵌め合わせて接続する接続口としてあって、不用意に外れないようにしているが、送水口２５ａが遊びをもって引っ掛かる程度の大きな開口にしてもよいし、図示する例のように貯水タンク９の上面に限らず背面に設けるなどしてもよい。さらに図示する例では、本体１２の上面に貯水タンク９から外した送水口２５ａを嵌め合わせて安定させられるようにしている。これにより貯水タンク９側との掛け外しや着脱を可能にするのに可撓性のあるものとした揚水路２５が、送水口２５ａの貯水タンク９からの取り外しによって不安定となり、送水口２５ａが本体１２内に引っ込んでしまうような不都合を回避することができる。
【００４２】
しかも、再生ヒータ５は貯水タンク９の設置部から図１、図３に示すように後方に外れて位置するので、貯水タンク９内の貯水を加熱して室内に発散させ却って加湿を行ってしまうような不都合を回避することができる。また、再生ヒータ５の本体１２内上部は図１、図３〜図５に示すような空きスペース２６にして本体１２の上面に熱が伝わるのを抑えられるので、再生ヒータ５が本体１２の触れやすく目が行きやすい上部にも影響しにくく、使用の安全はもとより図２に示すように操作基板２７などの電気装備を内側などに持った操作面２８を設けるなどして使用しやすいものとすることができる。図示する例では図２、図８に示すように、操作面２８は前記排気口２３と本体１２の上面に左右Ｘ−Ｘ′方向に並ぶように設けられ、本体１２の前面の貯水タンク９の装着位置の直ぐ下に、図２、図５に示すような貯水タンク９側に上に凸のアーチ形状を持って入り込んだ表示面６１を形成し、この表示面６１に除湿機のオン、オフや設定されている除湿段階などの運転状態を示すランプ６２やその他による表示部６３を設けてあり、本体１２の上面に表示する場合よりもユーザーに見易くしている。
【００４３】
排気口２３は図２、図３、図５、図８、図９に示すように、本体１２の上面への矩形な開口２３ａと、本体１２の背面への開口２３ｂとが連続した状態に形成してあり、開口２３ａに図３、図５に示す軸６４により開閉できるように枢支した風向設定蓋６５を設け、操作面２８にて設定した風向状態になるように図５に示すモータなどのアクチュエータ６６により駆動するようにしてある。風向設定は図２、図５に示す全閉状態と、この全閉状態から図３に示すほぼ鉛直な全開状態との間の各中間開き状態と、全閉状態と全開状態との間を連続的に往復する風向連続変更状態とがある。全閉状態では開口２３ｂだけが後Ｙ′方向に開かれた状態で、後ろ向き送風となる。全開状態では開口２３ａの全域が開口されて真上への送風となる。各中間開き状態では風向設定蓋６５の開き角度に沿った方向への送風となる。
【００４４】
また、図示する例では、図２に示すように貯水タンク９の底部は前傾していて、底部の前Ｙ側が貯水タンク９の最低位部３１になっている。これにより、初期貯水が最低位部３１である貯水タンク９の最も見やすい前側から開始することになるので、初期貯水およびその進行がより一層ユーザーによって確認されやすくすることができる。
【００４５】
また、貯水タンク９は図２〜図４に示すように本体１２の位置決め部３２に上方から嵌まり合っている。これにより、貯水タンク９を本体１２に対して上方から着脱できるようにしながら、装着した貯水タンク９を位置決めして位置ずれしたり脱落したりするのを防止することができる。位置決め部３２は前記段部１５の外周に形成した低い周壁１５ａと段部１５の背部壁１５ｂとで上向きのポケット部をなし、貯水タンク９を受け入れるようにしている。貯水タンク９は前記周壁１５ａに対し印籠嵌めする印籠嵌め部９ａを有し、位置決め部３２との嵌まり合いによって本体１２の外面と面一になるようにしている。なお、貯水タンク９を本体１２の段部１５に装着する場合、段部１５の背部壁１５ｂが装着の前後方向Ｙ−Ｙ′の位置や垂直軸回りの向きを規定するガイドないしは目安になるのに加え、貯水タンク９の窪み部１３と段部１５の上向き凸部１７との嵌まり合いが既述した左右方向Ｘ−Ｘ′の位置決めガイドおよび垂直軸まわりの向きのガイドとなるので、貯水タンク９の底部まわりの印籠嵌め部９ｃを段部１５まわりの周壁１５ａに嵌め合わせるのが容易であるので、貯水タンク９を正しく装着しやすい。特に、周壁１５ａは貯水タンク９の位置ずれや脱落を防止できればよく、図示するように低いもので十分であって、貯水タンク９の印籠嵌め部９ｃとの嵌まり合いにこじれなどが生じないので、貯水タンク９を段部１５の背部壁１５ｂと上向き凸部１７とによるラフな位置合わせのまま段部１５に一旦載置した後、貯水タンク９の底部の位置を前記周壁１５ａと嵌り合う位置に少し調整する簡易な作業によって貯水タンク９を位置決め部３２に嵌り合うように容易に装着し位置決め状態にすることができる。
【００４６】
本体１２には、さらに、図２、図７に示すように、本体１２の側方から見て貯水タンク９と図７に示す対角線Ｗ上の位置となるコーナ部の左右両側にキャスタ３３を設けてある。これにより、本体１２を左右一対のキャスタ３３にて接地して引き回すのに、前記対角線Ｗが鉛直となる図７に矢印３４で示す側に本体１２を後ろ側に倒すと、本体１２の貯水タンク９を含む重心Ｇをキャスタ３３上に位置させられるし、貯水タンク９での貯水量の違いでその時々で前記重心Ｇの位置が異なっても、本体１２の後ろ側への倒し角度を調節することによって重量を前後にバランスさせて難なく移動させられ、同一の居室内は勿論、居室間、居室と風呂場など場所を移して使用するような場合に便利である。風呂場ではそれ自体の除湿、乾燥はもとより、洗濯物の乾燥にも供することができる。
【００４７】
なお、本体１２の底部には使用状態に接地する座部の１つの例として座脚３５を設けてあり、図７に示すようにキャスタ３３を設置面３６から少し浮かせて本体１２を設置するようにしてある。これにより、本体１２を使用状態に設置している状態ではキャスタ３３は接地せず本体１２の設置状態を不安定にするようなことはない。また、キャスタ３３は図４に示すように本体１２の側壁に形成した筒壁５１に抜け止め部３３ａを有して嵌め合せ装着してある。
【００４８】
前記キャスタ３３を設けるのに併せ、本体１２の背面には図２、図８〜図１０に示すように、図２、図９に示す矢印３８に示す方向に出し入れできる引き手３７を設けてある。図示する例の引き手３７は本体１２の背部の左右方向の中央部に縦向きに設けた鞘部３９に出し入れできるように保持された左右一対の引き棒３７ａと、これら引き棒３７ａの上端に取り付けられたグリップ３７ｂとで構成している。このような引き手３７は本体１２を前記のように後ろ側に倒して引き回すときの、本体１２の支え、角度調節、引き回しのそれぞれに共用して、容易かつ自在に移動できる。
【００４９】
貯水タンク９の上部には図２（ａ）（ｂ）、図８に示すように、起伏できるように軸４１により枢支した手提げハンドル４２を設けてある。この手提げハンドル４２は後方に伏倒したとき、本体１２上面の一部との係合部４４にて係合し合って貯水タンク９の上部が本体１２の上部から離れるのを防止するための、例えば図２（ａ）（ｂ）に示すような係合部４４を本体１２との間に有している。図示する例では、貯水タンク９および本体１２の上面に手提げハンドル４２が伏倒したときに嵌まり合って、それらが面一になるようにする凹部４５、４６を有し、本体１２の凹部４５側に設けた係合突起４４ｂと手提げハンドル４２側に設けた係合凹部４４ａとで係合部４４を構成している。手提げハンドル４２の側が係合凹部４４ａで突出部をなさないので、手提げハンドル４２を把持するのに違和感がない。
【００５０】
このような手提げハンドル４２を貯水タンク９上で図２（ｂ）、図８に示す伏倒した格納状態から図２（ａ）に示すように起こしてそれを把持することにより、貯水タンク９を容易に持ち上げ、また持ち運ぶことができ、貯水を排水したりするときの持ち運びや排水時に傾けたりする取り扱いに便利である。この排水のために貯水タンク９の上面にキャップ４７で蓋をした排水口４８を設けてある。排水口４８は図８に示すように貯水タンク９の上面の左右Ｘ−Ｘ′方向の中央位置で、後方寄りに位置し、手提げハンドル４２の枢支位置よりも後方に位置している。これにより、手提げハンドル４２を把持して貯水タンク９を排水口４８が下向きになるように背面を下向きにして傾けるとき、排水口４８が背面近くに位置することで貯水の余さず排出しやすいし、手提げハンドル４２が排水口４８よりも前部側に位置していることにより排水の邪魔になりにくい。
【００５１】
排水などした貯水タンク９を本体１２に装着したとき、手提げハンドル４２を本体１２の側に伏倒させると前記格納状態になるのと同時に、手提げハンドル４２と本体１２側との係合部４４が既述したように係合して、貯水タンク９が本体１２から離れるのを防止する状態になるので、貯水タンク９を本体１２に装着する動作に連動した簡単な付帯操作によって貯水タンク９が本体１２から不用意に位置ずれしたり脱落するようなことを防止することができる。
【００５２】
なお、水受け８および貯水タンク９にはフロート式の満水位検出用のセンサ９１、９２を設け、少なくともいずれかが所定の満水位に達した場合に除湿器の運転を停止するようにしてある。このために、水受け８のセンサ９１は水受け８が固定タイプであるのに対応して検出スイッチ９１ａを内蔵し、センサ９２は貯水タンク９が着脱タイプであることに対応して本体１２の側に検出スイッチ９２ａを設けてある。
【００５３】
【発明の効果】
本発明の除湿機の１つの特徴によれば、本体側に備えた、除湿材、除湿ファン、再生ヒータ、再生ファン、熱交換器の組み合わせにより、室内空気を除湿材にて除湿することを繰り返しながら、室内空気から吸湿して除湿を繰り返す除湿材につき加熱した空気を通すことによって除湿水を奪い再生を図って前記室内空気に対する吸湿機能を保証しつつ、吸湿材から除湿水を奪った吸湿空気から熱交換器との熱交換によって除湿水を分離することを継続して、圧縮機を用いるタイプのものよりも小型かつ軽量なものにて除湿機能を満足することができる。また、吸湿材を再生した後の吸湿空気から分離した除湿水は、同じく本体側に備えた水受けで受けることにより広域に拡がらせないで貯水ポンプによる貯水タンクへの送り込みと貯水に供して、本体の必要スペースを最小限に抑えて満杯回避により長時間の除湿を可能としながら、分離した除湿水が蒸発、逸散して室内を却って加湿してしまうような不都合を防止することができる。
【００５４】
特に、貯水タンクは本体の上部の前面側にあって、前記のように水受けに集められる除湿水の送り込みを受けて貯水し、これが外観されるようにするので、ユーザーによって除湿が実感され、評価されやすくする。同時に、貯水タンクに関し排水したり、洗浄などの手入れをしたりするのに、本体外のしかもユーザーの最も近くで、かつ着脱しやすい側に貯水タンクが位置しているので、貯水タンクを単独に容易に取り扱って対応することができる。
【００５５】
本発明の除湿機の別の特徴によれば、特に、貯水タンクはその底部左右方向の中央が上方に窪んだ窪み部を有していて、前記送り込み初期の除湿水はこの窪み部の外まわりのそれよりも低位となっている部分に流れ落ちて貯水タンクの胴部壁寄りに集まって貯水されていくので、貯水タンクの平面スペースの大きさにかかわりなく貯水がその初期からユーザーによって外観されやすいし、初期貯水域が貯水タンクの平面スペースよりも小さくなる分だけ、貯水水位の上昇速度を速くして除湿の実効や進行度合いをユーザーによって実感しやすく、評価しやすくする。しかも、この貯水タンクの窪み部は本体側の機器の配置形状に対応させることによってデッドスペースを生じさせることなく実現するので、除湿機の大型化の原因にはならない。
【００５６】
本発明の除湿機の他の特徴によれば、特に、貯水タンクは本体の上部の前面側に形成した切り欠き段部にあって、本体とほぼ面一な状態で飛び出したりせず、前記のように水受けに集められる除湿水の送り込みを受けて貯水していっても、全体の重量バランスを特に崩すことはなく安定なまま使用されるようにしながら、前記貯水が外観されるようにするので、ユーザーによって除湿が実感され、評価されやすくする。同時に、貯水タンクに関し排水したり、洗浄などの手入れをしたりするのに、本体外のしかもユーザーの最も近くで、かつ着脱しやすい側に貯水タンクが位置しているので、貯水タンクを単独に容易に取り扱って対応することができる。
【００５７】
さらに、貯水タンクはその底部左右方向の中央が上方に窪んだ窪み部を有していて、前記送り込み初期の除湿水はこの窪み部の外まわりのそれよりも低位となっている部分に流れ落ちて貯水タンクの胴部壁寄りに集まって貯水されていくので、貯水タンクの平面スペースの大きさにかかわりなく貯水がその初期からユーザーによって外観されやすいし、初期貯水域が貯水タンクの平面スペースよりも小さくなる分だけ、貯水水位の上昇速度を速くして除湿の実効や進行度合いをユーザーによって実感しやすく、評価しやすくする。しかも、この貯水タンクの窪み部は本体における段部の内部機器が内側に位置した左右方向の中央の上向き凸部に嵌まり込むので、本体における機器の配置形状に対応していてデッドスペースを生じさせることなく実現し、除湿器の大型化の原因にはならない。また、前記窪み部および上向き凸部相互の大きな嵌まり合いによって貯水タンクを本体に装着するのに貯水タンクを所定の装着位置に落ち着つかせるように案内したり、位置決めしたりすることができ、簡易に装着できるし、複雑な位置決め関係が要らないので構造が簡単で貯水タンクの取り外しも簡単になる。
【００５８】
窪み部が貯水タンクの底部の後ろ側に設けてある、さらなる構成によれば、初期貯水が貯水タンクの前部側にも寄って行われるので、初期貯水とその進行がユーザーによってさらに見やすくなる。
【００５９】
本体の貯水タンクの下に前面側から順に、熱交換器、回転する吸湿材が位置し、吸湿材の後ろの上下に再生ヒータおよび再生ファンが位置して、空気が再生ファンから、再生ヒータ、吸湿材、熱交換器に順次至って後、再生ファンに戻る再生循環系をなし、これら再生ヒータおよび再生ファンの後ろに除湿ファンがその吸気口を吸湿材を介して本体の前面の吸気口に向け開口し、送風口を本体上部の排気口に繋がるようにして位置し、水受けは熱交換器の下部に位置して熱交換器からの水を受け、貯水ポンプは水受けから貯水タンクに至る揚水路の基部に設けられている、さらなる構成によれば、吸湿材が回転して繰り返し前記室内空気の除湿とその後の再生を行うので、前記除湿と再生のための空気の通過方向に厚みが向く扁平なものでよくなり、その前部に位置する熱交換器とともに本体上部の前側に設けられる貯水タンクの平面スペースを利用した下側に位置して、前後方向および上下方向に無駄なスペースなく設置でき、これら上部の貯水タンク、その下部の熱交換器および吸湿材と、これらの後方に位置した再生ヒータおよび再生ファンとで、互いが無駄に分散するようなことなく再生循環系をこれを収納する本体部分とともにコンパクトに構成しながら、この再生循環系の後ろに本体の高さ一杯を利用した十分な大きさの除湿ファンを本体を特に大型化したりしないで設けて、十分な風量と、静かな低速吸気、および低速送風とを確保して、高い除湿機能を発揮することができる。
【００６０】
しかも、再生ヒータは貯水タンク設置部から後方に外れて位置するので貯水タンク内の貯水を加熱して室内に発散させ却って加湿を行ってしまうような不都合を回避することができるし、再生ヒータの本体内上部は空きスペースにして本体上面に熱が伝わるのを抑えられるので、再生ヒータが本体の触れやすく目が行きやすい上部にも影響しにくく、使用の安全はもとより操作基板などの電気装備を持った操作面を設けて使用しやすいものとすることができる。
【００６１】
貯水タンクの底部は前傾している、さらなる構成によれば、初期貯水が貯水タンクの最も見やすい前側から開始するので、初期貯水およびその進行がより一層ユーザーによって確認されやすくすることができる。
【００６２】
貯水タンクが本体の位置決め部に上方から嵌まり合っている、さらなる構成によれば、貯水タンクを本体に対して上方から着脱できるようにしながら、装着した貯水タンクを位置決めして位置ずれしたり脱落したりするのを防止することができる。
【００６３】
本体の側方から見て貯水タンクと対角線上の位置となるコーナ部の左右両側にキャスタを設けた、さらなる構成によれば、本体を左右一対のキャスタにて接地して引き回すのに、前記対角線が鉛直となる側に本体を後ろ側に倒すと、本体の貯水タンクを含む重心をキャスタ上に位置させられるし、貯水タンクでの貯水量の違いでその時々で前記重心位置が異なっても、本体の後ろ側への倒し角度を調節することによって重量を前後にバランスさせて難なく移動させられ、同一の居室内は勿論、居室間、居室と風呂場など場所を移して使用するような場合に便利である。
【００６４】
本体の背面に出し入れできる引き手を有している、さらなる構成によれば、本体を前記のように後ろ側に倒して引き回すときの、本体の支え、角度調節、引き回しのそれぞれに共用して、容易かつ自在に移動できる。
【００６５】
貯水タンクの上部に起伏できるように枢支した手提げハンドルを有し、手提げハンドルは後方に伏倒したとき、本体上面のストッパと係合し合って貯水タンク上部が本体上部から離れるのを防止する係合部を本体との間に有している、さらなる構成によれば、手提げハンドルを貯水タンク上で起こしてそれを把持することにより、貯水タンクを容易に持ち上げ、また持ち運ぶことができ、貯水を排水したりするときの持ち運びや排水時に傾けたりする取り扱いに便利である。また、貯水タンクを本体に装着したとき、手提げハンドルを伏倒させると、手提げハンドルと本体側との係合部が係合して、貯水タンクが本体から離れるのを防止する状態になるので、貯水タンクを本体に装着する動作に連動した簡単な付帯操作によって貯水タンクが本体から不用意に脱落するようなことを防止することができる。
【図面の簡単な説明】
【図１】本発明に係る除湿機の実施例の構成を模式的に示す内部構造図である。
【図２】図１の除湿機の具体例を示し、その（ａ）は全体の斜視図、その（ｂ）は貯水タンクおよび本体の係合部の断面図である。
【図３】図２の除湿機の断面図である。
【図４】図２の除湿機の吸湿材駆動機構を背部から見た断面図である。
【図５】図２の除湿器の除湿ファンを背部から見た断面図である。
【図６】図２の除湿機の正面図である。
【図７】図２の除湿器の側面図である。
【図８】図２の除湿器の平面図である。
【図９】図２の除湿器の背面図である。
【図１０】図２の除湿器の引き手の内蔵構造を示す一部の断面図である。
【符号の説明】
１  吸湿材
２  室内空気
３  除湿ファン
３ａ  吸気口
３ｂ  排気口
４  再生用空気
５  再生ヒータ
６  再生ファン
７  熱交換器
８  水受け
９  貯水タンク
１１  貯水ポンプ
１２  本体
１３  窪み部
１６  内部機器
１７  上向き凸部
２１  再生循環系
２２  吸気口
２３  排気口
２５  揚水路
３１  最低位部
３２  位置決め部
３３  キャスタ
３７  引き手
４２  手提げハンドル
４４  係合部
Ｗ  対角線
【図１】
2004181279.tif 000003
【図２】
2004181279.tif 000004
【図３】
2004181279.tif 000005
【図４】
2004181279.tif 000006
【図５】
2004181279.tif 000007
【図６】
2004181279.tif 000008
【図７】
2004181279.tif 000009
【図８】
2004181279.tif 000010
【図９】
2004181279.tif 000011
【図１０】
2004181279.tif 000012